(57)【特許請求の範囲】
【請求項１】
綴じ具を有するファイルに挿入される補強材であって、
前記ファイルと同等の大きさを有し、かつ、底部、前記底部に連接する側板部、及び前記側板部に連接する蓋部を備え全体として四角箱形状を成す箱部と、前記箱部の一部に形成されて前記綴じ具を収納する綴じ具収納部と、を備え、前記箱部の左右方向の略中央若しくは上下方向の略中央の少なくとも一方に高さ保持板を有することを特徴とするファイル用補強材。
【請求項２】
請求項１に記載のファイル用補強材であって、
前記箱部の上下方向の長さは前記ファイルの上下方向の長さよりも長いことを特徴とするファイル用補強材。
【請求項３】
請求項１に記載のファイル用補強材であって、
前記箱部の左右方向の長さは前記ファイルの左右方向の長さよりも長いことを特徴とするファイル用補強材。
【請求項４】
請求項１〜３のいずれか１に記載のファイル用補強材であって、
前記綴じ具収納部は前記箱部の一部を切り欠いて形成されることを特徴とするファイル用補強材。
【請求項５】
請求項１〜３のいずれか１に記載のファイル用補強材であって、
前記綴じ具収納部は前記箱部の一部を内方に折り曲げた凹形状に形成されることを特徴とするファイル用補強材。
【請求項６】
請求項１〜５のいずれか１に記載のファイル用補強材であって、
前記箱部の前記綴じ具と反対側の前記側板部の幅は前記ファイルの背表紙の幅と略同一であることを特徴とするファイル用補強材。
【請求項７】
表表紙、背表紙、及び裏表紙が連接され、前記背表紙の内面側には綴じ具を有し、
請求項１〜６のいずれか１に記載のファイル用補強材を前記表表紙と前記裏表紙の間に挟持することを特徴とするファイル。
【請求項８】
請求項７に記載のファイルであって、
前記綴じ具は前記ファイル用補強材の前記綴じ具収納部内に嵌合保持されることを特徴とするファイル。
【発明の詳細な説明】
【技術分野】
【０００１】
本発明は、ファイル用補強材及び当該ファイル用補強材を挟持したファイルに関する。
【背景技術】
【０００２】
従来、リング状等の綴じ具に係止することにより帳票や印刷物等の書類を綴じる書類綴じファイルが広く使用されている。このうち、大量の書類を綴じることが可能なファイルとして、背表紙幅が２ｃｍ以上の幅広書類綴じファイル（以下、単に「ファイル」とも言う。）も広く使用されている。このような幅広書類綴じファイルは流通時や店舗に陳列されている時等の書類を綴じる前の段階においては、背表紙を底辺とし、表表紙及び裏表紙を斜辺とする二等辺三角形の断面形状を有する。
【０００３】
このような二等辺三角形状の断面形状を有するファイルを輸送する場合には、背表紙を左側にした左背表紙ファイルと背表紙を右側にした右背表紙ファイルの１組のファイルを用意し、左背表紙ファイルの表表紙と裏表紙の間に右背表紙ファイルの表表紙若しくは裏表紙を挟むようにして１組のファイル全体で中空の略四角筒形状を成すようにしていた。このため、輸送時には背表紙幅を同じくする１組のファイルを用意しなければならず、輸送したファイルを陳列する際にも、組を成す向きが異なる２つのファイルを別々に分けて陳列するという手間が生じるという不都合が生じていた。
【０００４】
また、このような二等辺三角形状の断面形状を有するファイルを陳列する場合、平積みするためには背表紙の方向を左右交互にして積み重ねることになるため、上下方向若しくは表裏が１冊毎に逆向きになってしまう。この状態で正方向のファイルを１冊取り除くと逆方向のファイルが一番上に載置されることになってしまう。このため、店舗での陳列を考えた場合は特に、商品であるファイルが逆向きに置かれた状態になってしまうという不都合が生じていた。
また、背表紙の方向を左右交互にして平積みすると水平方向に対して傾斜面を形成する表表紙及び裏表紙を重ねることになるため、横滑りが生じやすく、平積みが崩れ易いという問題もあった。
【０００５】
また、ファイルを立てた状態で横に並べる場合にも、背表紙を手前にして横に並べると奥に行くに従って隙間が生じてしまう。このため、多数のファイルを横に並べる時には特に、断面形状の二等辺三角形の頂点を中心にして並べた複数のファイルの背表紙全体で略円弧を描くようになり、端の方に並べたファイルが斜めに奥まって配置されることになってしまうという不都合が生じていた。
この不都合を解消する手段として、背表紙を手前と奥に交互に配置するように並べる陳列方法が考えられる。しかし、背表紙が奥になっているファイルがあると見栄えが良くないだけでなく、背表紙が奥になっているファイルを取り出そうとしても隙間が無いため奥に向かって幅広となっているファイルを取り出すのは困難である。また、背表紙が奥になっているファイルを取り出せたとしても、取り出す際に両側の隣り合うファイルの位置をずらし易く、陳列している列全体の見栄えも悪くなってしまう。
【０００６】
また、このようなファイルは背表紙の横幅と同等の厚みの書類が綴じられていれば全体として中身の詰まった略四角柱形状を成すが、書類を綴じる前の段階では中空の二等辺三角柱形状を成す。このため、特に斜辺を構成する表表紙及び裏表紙に外力が加わると、内側に凹んだり、表表紙や裏表紙の周縁部が損傷したりするという問題が多くあった。
【０００７】
これまで、表表紙及び裏表紙の隅部を補強する補強具の提案（例えば、特許文献１）や
、ファイルの倒れや背表紙のズレを防止する補強具の提案（例えば、特許文献２）はなされてきた。
【０００８】
しかし、断面形状が二等辺三角形状となることに起因する輸送時及び陳列時の問題の解決や、書類を綴じる前の段階での表表紙及び裏表紙全体を補強することに関する技術の提案はなされていない。
なお、ファイル全体をファイルより一回り大きなハードカバーに収納することも考えられるが、ハードカバーが高価であることに加え、ファイルの表表紙及び裏表紙自体の補強とはならないため、表表紙及び裏表紙の中央部が変形しやすいという問題の解決にはならなかった。
【先行技術文献】
【特許文献】
【０００９】
【特許文献１】特開平９−２４８９８７号公報
【特許文献２】特開平８−２３８８８１号公報
【発明の概要】
【発明が解決しようとする課題】
【００１０】
本発明は上記のような事情に鑑みてなされたもので、書類を綴じる前の段階で断面形状が二等辺三角形状となるファイルの輸送時及び陳列時の問題を解決すると共に、ファイルの表表紙及び裏表紙全体を補強することが可能で、かつ、安価なファイル用補強材及びそれを挟持したファイルを提供することを課題とする。
【課題を解決するための手段】
【００１１】
本発明は係る課題に鑑みなされたものであり、本発明のファイル用補強材は、綴じ具を有するファイルに挿入される補強材であって、前記ファイルと同等の大きさを有し、かつ、底部、前記底部に連接する側板部、及び前記側板部に連接する蓋部を備え全体として四角箱形状を成す箱部と、前記箱部の一部に形成されて前記綴じ具を収納する綴じ具収納部と、を備え、前記箱部の左右方向の略中央若しくは上下方向の略中央の少なくとも一方に高さ保持板を有することを特徴とする。
【００１３】
また、本発明のファイル用補強材は、前記箱部の上下方向の長さが前記ファイルの上下方向の長さよりも長くても良いし、前記箱部の左右方向の長さが前記ファイルの左右方向の長さよりも長くても良い。
【００１４】
また、本発明のファイル用補強材は、前記綴じ具収納部は前記箱部の一部を切り欠いて形成されていても良いし、前記箱部の一部を内方に折り曲げた凹形状に形成されていても良い。
【００１５】
また、本発明のファイル用補強材は、前記箱部の前記綴じ具と反対側の前記側板部の幅は前記ファイルの背表紙の幅と略同一であっても良い。
【００１６】
また、本発明のファイル用補強材を挟持したファイルは、表表紙、背表紙、及び裏表紙が連接され、前記背表紙の内面側には綴じ具を有し、本発明のファイル用補強材を前記表表紙と前記裏表紙の間に挟持することを特徴とする。
【００１７】
また、本発明のファイル用補強材を挟持したファイルの前記綴じ具は前記ファイル用補強材の前記綴じ具収納部内に嵌合保持されるのであっても良い。
【発明の効果】
【００１８】
本発明のファイル用補強材は、前記ファイルと同等の大きさを有し、かつ、底部、前記底部に連接する側板部、及び前記側板部に連接する蓋部を備え全体として四角箱形状を成す箱部と、前記箱部の一部に形成されて前記ファイルの綴じ具を収納する綴じ具収納部と、を備え、前記ファイルの表表紙と裏表紙の間に挿入して使用される。これにより、四角箱形状を成す箱部の蓋部及び底部によって前記ファイルの表表紙及び裏表紙の全体を内側から支えて補強することが可能となる。
また、前記ファイル用補強材の一部に前記ファイルの綴じ具を収納する綴じ具収納部を備えることにより、輸送時や陳列時等に前記ファイル用補強材が前記ファイルから抜け落ちる虞がない。
さらに、四角筒形状を成す箱部を有する前記ファイル用補強材を挿入することにより書類を綴じる前のファイルであっても、その断面形状は四角形状とすることが可能である。これにより、断面形状が二等辺三角形状を成すことに起因する輸送時及び陳列時の問題を全て解決することが可能となる。
加えて、前記ファイル用補強材は、商品であるファイルの外側を保護する美麗なハードカバーとは異なり、ファイルの内側に挿入されて補強に必要な強度を有していれば良いため、段ボール紙等が好適に使用可能であり、安価に提供することが可能である。
【００１９】
また、前記箱部の左右方向の略中央若しくは上下方向の略中央の少なくとも一方に高さ保持板を有することにより、変形しやすい表表紙及び裏表紙の中央部の内側への凹みを確実に防止することが可能となる。
【００２０】
また、前記箱部の上下方向の長さを前記ファイルの上下方向の長さよりも長くすることにより、前記ファイルの表表紙及び裏表紙の上下端が輸送時や陳列時に棚等に直接接触することが無くなるため、前記ファイルの表表紙及び裏表紙の損傷を防止することが可能となる。
【００２１】
また、前記箱部の左右方向の長さを前記ファイルの左右方向の長さよりも長くした場合には、前記ファイルの表表紙及び裏表紙の背表紙とは反対側の側端が輸送時や陳列時に棚等に直接接触することが無くなるため、前記ファイルの表表紙及び裏表紙の損傷を防止することが可能となる。
【００２２】
また、前記綴じ具収納部が前記箱部の一部を切り欠いて形成されることにより、前記箱部内の空間に前記綴じ具が収納される構成となる。これにより、前記綴じ具収納部に前記綴じ具を収納した状態でも前記ファイル用補強材の表面に凹凸が生じることがないため、前記ファイルの表表紙及び裏表紙を平滑面で内側から支えることが可能となる。
【００２３】
また、前記綴じ具収納部が前記箱部の一部を内方に折り曲げた凹形状に形成された場合にも、前記綴じ具収納部に前記綴じ具を収納した状態では前記ファイル用補強材の表面に凹凸が生じることがない。これにより、前記ファイルの表表紙及び裏表紙を平滑面で内側から支えることが可能となる。
【００２４】
また、前記箱部の前記綴じ具と反対側の前記側板部の幅は前記ファイルの背表紙の幅と略同一であることにより、従来のファイルにおいて断面二等辺三角形の頂点を成していた背表紙と反対側の側端部に背表紙幅と同等の幅を保つことが可能な前記ファイル用補強材の前記側板部を有することとなる。このため、前記ファイル用補強材を挟持したファイルにおいては、書類を綴じる前の段階でも表表紙及び裏表紙を略平行に保つことが可能となり、本発明の効果をより高めることが可能となる。
【００２５】
本発明のファイル用補強材を挟持したファイルは、表表紙、背表紙、及び裏表紙が連接され、前記背表紙の内面側には綴じ具を有し、本発明のファイル用補強材を前記表表紙と前記裏表紙の間に挟持することにより、前記表表紙及び前記裏表紙を内側から支えて補強することが可能となる。
また、四角筒形状を成す箱部を有する前記ファイル用補強材を挟持することにより書類を綴じる前のファイルであっても、その断面形状は四角形状とすることが可能である。これにより、断面形状が二等辺三角形状を成すことに起因する輸送時及び陳列時の問題を全て解決することが可能となる。
【００２６】
また、本発明のファイル用補強材を挟持したファイルの前記綴じ具は前記ファイル用補強材の前記綴じ具収納部内に嵌合保持されることにより、輸送時や陳列時等に前記ファイル用補強材が前記ファイルから抜け落ちる虞がない。
【図面の簡単な説明】
【００２７】
【図１】本発明のファイル用補強材の第１の実施形態の展開図を模式的に示した説明図である。
【図２】本発明のファイル用補強材の第１の実施形態を組み立てた状態を模式的に示した説明図であり、（ａ）は組み立て途中の状態の上面図、（ｂ）は（ａ）のＡ−Ａ断面図、（ｃ）は組み立て完了状態の上面図である。
【図３】本発明の第１の実施形態のファイル用補強材をファイルに装着する手順を模式的に示した説明図であり、（ａ）はファイルを開いた状態の上面図、（ｂ）はファイル用補強材の綴じ具収納部にファイルの綴じ具を嵌合する状態の側面図、（ｃ）はファイル用補強材を挟持した状態のファイルの上面図、（ｄ）はファイル用補強材を挟持した状態のファイルの側面図である。
【図４】本発明のファイル用補強材の第２の実施形態の展開図を模式的に示した説明図である。
【図５】本発明のファイル用補強材の第２の実施形態を組み立てた状態を模式的に示した説明図であり、（ａ）は組み立て途中の状態の上面図、（ｂ）は（ａ）のＡ−Ａ断面図、（ｃ）は組み立て完了状態の上面図である。
【発明を実施するための形態】
【００２８】
＜第１の実施形態＞
以下、本発明を実施するための第１の実施形態につき図１〜３を参照して説明する。
【００２９】
第１の実施形態のファイル用補強材１は、図１に示すシートブランクを組み立てることによって形成され、四角形の箱状を成す。このシートブランクは、ファイルの内側に挿入されて補強に必要な強度を有していれば良いため、段ボール紙等が好適に使用可能である。
【００３０】
ファイル用補強材１のシートブランクの具体的な構成を以下に示す。ファイル補強材１を挿入するファイル２の表表紙２１及び裏表紙２３と同等の大きさの底部３を有し、底部３の上下左右それぞれに上側板部４１ａ、下側板部４１ｂ、左側板部４２、及び右側板部４３の４枚の側板部４が折り部を介して連接している。左側板部４２の両側端には、背表紙保護部６が連接されている。さらに、左側板部４２には左蓋部５１、右側板部４３には右蓋部５２がそれぞれ折り部を介して連接され、折り部を折り曲げて組み立てると、左蓋部５１と右蓋部５２が突き合わせで底部３と対向する蓋部５となる。
【００３１】
ここで、底部３の大きさは表表紙２１及び裏表紙２３と同等の大きさが好ましく、具体的には上下長さ及び左右幅共に表表紙２１及び裏表紙２３との差が５ｍｍ、より好ましくは２ｍｍ以内であることを意味している。なお、表表紙２１及び裏表紙２３の損傷を防止
するため、底部３の上下長さ及び左右幅が共に表表紙２１及び裏表紙２３に比べて上記範囲内で大きいことが好ましい。
また、側板部４の高さは全て、ファイル２の背表紙２２の内寸幅と略同一であることが好ましい。これは、背表紙２２の内寸幅と略同一とすることにより、ファイル用補強材１を組み立ててファイル２に挿入・装着した際にファイル２の表表紙２１及び裏表紙２３を略水平な状態に保つことが可能となるからである。
【００３２】
また、左蓋部５１の左側板部４２寄りの部分を一部切り取ることにより、ファイル２の綴じ具２４を収納する孔状の綴じ具収納部５３が形成されている。綴じ具収納部５３には、綴じ具２４の両端のリング２４ａと接する綴じ具押さえ部５３ａが形成されていることが好ましい。綴じ具押さえ部５３ａは、例えば、略四角形状の綴じ具収納部５３の、高さ保持板５１ａ側の側辺からフラップ状に連接された小片で構成することができる。綴じ具押さえ部５３ａと両端のリング２４ａとが接することにより、リング２４ａが綴じ具収納部５３内で動くことを防止することが可能である。これによってファイル補強材１がファイル２に固定され、輸送時等にファイル補強材１が落脱することを防止することが可能となる。
【００３３】
本実施形態においては綴じ具２４が裏表紙２３内面に取り付けられたファイル２を想定しているため、綴じ具収納部５３は裏表紙２３と対向する左蓋部５１内に設けられているが、綴じ具２４が背表紙２２内面に取り付けられたファイル２に挿入するファイル用補強材１の場合には、綴じ具収納部５３は背表紙２２と対向する左側板部４２内に設けられる。
【００３４】
また、左蓋部５１及び右蓋部５２のそれぞれの側板部４２、４３とは反対側に高さ保持板５１ａ、５２ａが連接されている。高さ保持板５１ａ、５２ａは、突き合わされた左蓋部５１及び右蓋部５２から下方に折り曲げられ、突き合わせ部分での蓋部５の凹み変形を防止する効果を奏する。このため、左蓋部５１及び右蓋部５２の横幅は略同一とすることにより突き合わせ部分が蓋部５の左右略中央となることが好ましく、高さ保持板５１ａ、５２ａの長さ（組み立てたときの高さ）は左側板部４２及び右側板部４３の長さ（組み立てたときの高さ）と略同一とすることが好ましい。
【００３５】
本実施形態においては、蓋部５を左右２枚に分けて蓋部５の左右略中央に高さ保持板５１ａ、５２ａを形成することにより蓋部５の中央部での凹み変形を防止し、これによりファイル２の表表紙２１及び裏表紙２３の変形も防止することが可能となる。同様の効果を奏する構成として、蓋部５を上下２枚に分けて蓋部５の上下略中央に高さ保持板を形成することも可能であり、この場合の高さ保持板は綴じ具収納部と重なる部分を避けて設けられる。
【００３６】
また、上側板部４１ａには、底部３とは反対側に筒上面板４４ａ及び筒内側面板４５ａが連接され、筒内側面板４５ａの両側端には筒フラップ４６ａが連接されている。下側板部４１ｂにも同様に、筒上面板４４ｂ及び筒内側面板４５ｂが連接され、筒内側面板４５ｂの両側端には筒フラップ４６ｂが連接されている。また、筒上面板４４ａ、４４ｂから筒内側面板４５ａ、４５ｂの一部にかけて差し込み孔４７ａ、４７ｂが形成されている。この部分は、底部３に対して上下側板部４１ａ、４１ｂを折り立てた後、筒上面板４４ａ、４４ｂが底部３と平行になるように折り曲げ、さらに筒内側側面板４５ａ、４５ｂが内方で上下側板部４１ａ、４１ｂと平行になってその先端が底部３に接するように組み立てられる。これにより、上下側板部４１ａ、４１ｂを外方の側面とする四角筒が底部３の上下端部に組み立てられ、その筒上面から筒内側面の一部にかけて差し込み孔４７ａ、４７ｂが形成されることとなる。そして、差し込み孔４７ａ、４７ｂに、高さ保持板５１ａ、５２ａの左右両側端部に形成された差し込み片５１ｂ、５２ｂが２枚重ねた状態で差し込まれることにより、四角箱状の箱部１１が組み立てられる。
【００３７】
図２（ａ）（ｂ）には上下の四角筒を組み立てて左蓋部５１に連接された高さ保持板５１ａの差し込み片５１ｂ、５１ｂを差し込み孔４７ａ、４７ｂに差し込んだ状態を示している。
図２（ｃ）は右蓋部５２に連接された高さ保持板５２ａの差し込み片５２ｂ、５２ｂを差し込み片５１ｂ、５１ｂと接するようにして差し込み孔４７ａ、４７ｂに差し込んで箱部１１の組み立てが完了した状態を示している。このときのファイル補強材１は、箱部１１の一部に孔状の綴じ具収納部５３が形成されると共に、左側板部４２の両側端に連接された背表紙保護部６が箱部１１の外側に突出した状態となっている。
【００３８】
ファイル用補強材１を挿入するファイル２は、図３（ａ）に示すように、表表紙２１、背表紙２２、及び裏表紙２３が折り部を介して連接されており、リング２４ａ等の綴じ具２４を背表紙２２内面に備えている。表表紙２１、背表紙２２、及び裏表紙２３には紙やプラスチックが好適に使用される。リング２４ａの形状は図３に示したＯ形状だけでなく、Ｄ形状でも良い。また、リング２４ａの数は一般的に用いられている２、３、４、２６のいずれでも良く、図３では３つの場合を図示している。
【００３９】
箱部１１の組み立てが完了したファイル用補強材１を図３（ａ）に示すような綴じ具２４付きのファイル２に挿入・装着する際にはまず、図３（ｂ）に示すように、ファイル用補強材１の綴じ具収納部５３にファイル２の綴じ具２４のリング２４ａを嵌合させる。
ここで、綴じ具収納部５３にリング２４ａを嵌合させる方法は２通りある。１つは図３（ｂ）において実線で表したように、綴じ具収納部５３が下になるように、底部３を上方にした状態のファイル用補強材１を、リング２４ａの上方から綴じ具収納部５３とリング２４ａの位置を合わせるようにして下降することにより嵌合させる方法である。
もう１つは、図３（ｂ）において破線で表したように、綴じ具収納部５３が上になるようにファイル用補強材１をファイル２の表表紙２１上に配置し、その状態で裏表紙２３を表表紙２１と対向する位置まで回転させると共に、綴じ具収納部５３にリング２４ａを嵌入する方法である。
いずれの方法においても、リング２４ａと綴じ具収納部５３とを嵌合させて表表紙２１及び裏表紙２３を対向するように閉じるという簡易な操作を行うことにより、図３（ｃ）（ｄ）に示すように、ファイル２にファイル用補強材１を挿入・装着することが可能となる。なお、図３（ｃ）においては、リング２４ａと綴じ具収納部５３との嵌合状態を明確にするため、表表紙２１に隠れた部分も破線で示している。
【００４０】
このとき、図３（ｃ）（ｄ）に示すように、左側板部４２の両側端に連接され、箱部１１の外側に突出した背表紙保護部６が背表紙２２の上下端から背表紙２２の外面の一部を覆うように配置されるため、表表紙２１及び裏表紙２３の変形・損傷だけでなく、背表紙２２の損傷も防止することが可能となる。
【００４１】
上述の通りに組み立てたファイル用補強材１を挿入・装着したファイル２は、書類を綴じる前の段階であっても四角箱形状のファイル用補強材１が挿入・装着されていることにより断面形状は四角形状となるため、従来のファイルのような断面が二等辺三角形状であることに起因する輸送時及び陳列時の問題を全て解決することが可能となる。
また、ファイル用補強材１の底部３がファイル２の表表紙２１及び裏表紙２３より少し大きいことにより、表表紙２１及び裏表紙２３の側辺及び隅部の損傷を防止することも可能となる。
加えて、ファイル用補強材１の材料には段ボールが使用されるため、安価に提供することが可能となる。
【００４２】
＜第２の実施形態＞
以下、本発明を実施するための第２の実施形態につき図４、５を参照して説明する。
【００４３】
第２の実施形態のファイル用補強材１０は、綴じ具収納部５３が、左蓋部５１内に孔状に設けられるのではなく、左側板部４２及び左蓋部５１の一部を内方に折り込んで凹形状に設けられる点で第１の実施形態と異なる。
【００４４】
本実施形態においては、左側板部４２の一部を綴じ具収納底部５３ｃ、左蓋部５１の一部を綴じ具収納側壁部５３ｂとして、綴じ具収納底部５３ｃ及び綴じ具収納側壁部５３ｂの左右両端に切り込み線を設けることにより綴じ具収納底部５３ｃ及び綴じ具収納側壁部５３ｂが箱部１１０の内方に折りこまれて四角筒形状に凹んだ綴じ具収納部５３を形成する。なお、綴じ具収納部５３の左右側端付近におけるファイル２の両端のリング２４ａと接する位置において、綴じ具収納底部５３ｃの一部から綴じ具収納側壁部５３ｂの一部にかけて切り欠きを設けることにより、この部分での綴じ具収納底部５３ｃ及び綴じ具収納側壁部５３ｂの間の折り部が外方に突出するように折り曲げられて綴じ具押さえ部５３ａ、５３ａを構成する。
【００４５】
本実施形態のような綴じ具収納部５３を形成することにより、綴じ具２４が裏表紙２３内面に設けられたファイル２だけでなく、綴じ具２４が背表紙２２内面に設けられたファイル２にも対応することが可能なファイル用補強材１０とすることが可能となる。
【００４６】
図５（ａ）（ｂ）には上下の四角筒を組み立てて左蓋部５１に連接された高さ保持板５１ａの差し込み片５１ｂ、５１ｂを差し込み孔４７ａ、４７ｂに差し込んだ状態を示している。
図５（ｃ）は右蓋部５２に連接された高さ保持板５２ａの差し込み片５２ｂ、５２ｂを差し込み片５１ｂ、５１ｂと接するようにして差し込み孔４７ａ、４７ｂに差し込んで箱部１１０の組み立てが完了した状態を示している。このときのファイル補強材１０は、箱部１１０の一部に凹形状の綴じ具収納部５３が形成されると共に、左側板部４２の両側端に連接された背表紙保護部６が箱部１１０の外側に突出した状態となっている。
【００４７】
上述の通りに組み立てたファイル用補強材１０は、第１の実施形態と同様にしてファイル２に挿入・装着される。ファイル用補強材１０が挿入・装着されたファイル２は、書類を綴じる前の段階であっても四角箱形状のファイル用補強材１０が挿入・装着されていることにより断面形状は四角形状となるため、従来のファイルのような断面が二等辺三角形状であることに起因する輸送時及び陳列時の問題を全て解決することが可能となる。
また、ファイル用補強材１０の底部３がファイル２の表表紙２１及び裏表紙２３より少し大きいことにより、表表紙２１及び裏表紙２３の側辺及び隅部の損傷を防止することも可能となる。
加えて、ファイル用補強材１０の材料には段ボールが使用されるため、安価に提供することが可能となる。
【符号の説明】
【００４８】
１、１０・・・ファイル用補強材
１１、１１０・・・箱部
２・・・ファイル
２１・・・表表紙
２２・・・背表紙
２３・・・裏表紙
２４・・・綴じ具
２４ａ・・・リング
３・・・底部
４・・・側板部
４１ａ・・・上側板部
４１ｂ・・・下側板部
４２・・・左側板部
４３・・・右側板部
４４ａ、４４ｂ・・・筒上面板
４５ａ、４５ｂ・・・筒内側面板
４６ａ、４６ｂ・・・筒フラップ
４７ａ、４７ｂ・・・差し込み孔
５・・・蓋部
５１・・・左蓋部
５２・・・右蓋部
５１ａ、５２ａ・・・高さ保持板
５１ｂ、５２ｂ・・・差し込み片
５３・・・綴じ具収納部
５３ａ・・・綴じ具押さえ部
６・・・背表紙保護部
【図１】
0006699338.tif 000002
【図２】
0006699338.tif 000003
【図３】
0006699338.tif 000004
【図４】
0006699338.tif 000005
【図５】
0006699338.tif 000006